(57)【特許請求の範囲】
【請求項１】
Ｘ線発生管と、
前記Ｘ線発生管を包み込む部材であって、放射開口を有する遮蔽容器と、
前記Ｘ線発生管、前記遮蔽容器、及び、絶縁液体を収容し、前記放射開口に対応する位置に形成されたケース開口部を有する密封ケースと、
前記ケース開口部から前記放射開口へ伸びた形態をもって構成された隔壁であって、Ｘ線が通過し且つ絶縁性を有する材料からなるカップ部材と、
全体が放射線遮蔽部材で構成され、前記カップ部材の中に落とし込まれ、前記放射開口から出るＸ線をコリメートするコリメート部材と、
を含み、
前記カップ部材の中に落とし込まれた前記コリメート部材の上面のレベルが前記ケース開口部のＸ線発生管側開口である下開口のレベルよりも低く、これにより前記コリメート部材の全体が前記遮蔽容器の内部に位置している、
ことを特徴とするＸ線発生装置。
【請求項２】
請求項１記載の装置において、
前記カップ部材は、前記放射開口の中に進入して前記Ｘ線発生管に近接する又は接触する底壁を有する、ことを特徴とするＸ線発生装置。
【請求項３】
請求項２記載の装置において、
前記Ｘ線発生管と前記遮蔽容器との間に絶縁容器が設けられ、
前記絶縁容器は前記放射開口に対応する位置に形成された連絡開口を有し、
前記カップ部材の底部が連絡開口に嵌め込まれる、ことを特徴とするＸ線発生装置。
【請求項４】
請求項３記載の装置において、
前記カップ部材は、前記Ｘ線発生管に向かって先細となった円錐状の形態を有する、ことを特徴とするＸ線発生装置。
【請求項５】
請求項１乃至４のいずれか１項に記載の装置において、
前記コリメート部材はファンビーム成形用のスリットを有し、
前記スリットはＸ線が入る下側開口及びＸ線が出る上側開口を有し且つ前記下側開口の両端と前記上側口の両端とを結ぶ左辺及び右辺を有し、つまり前記スリットは左右が閉じられ上下が開いた形態を有する、ことを特徴とするＸ線発生装置。
【請求項６】
請求項５記載の装置において、
前記スリットの前記左辺及び前記右辺が前記ファンビームの左辺及び右辺と同じ傾きを有し、
前記スリットは台形状の形態を有する、ことを特徴とするＸ線発生装置。
【請求項７】
Ｘ線発生管と、
前記Ｘ線発生管を包み込む部材であって、放射開口を有する遮蔽容器と、
前記Ｘ線発生管、前記遮蔽容器、及び、絶縁液体を収容し、前記放射開口に対応する位置に形成されたケース開口部を有する密封ケースと、
前記ケース開口部から前記放射開口へ伸びた形態をもって構成された隔壁であって、Ｘ線が通過し且つ絶縁性を有する材料からなるカップ部材と、
前記カップ部材の中に落とし込まれ、前記放射開口から出るＸ線をコリメートするコリメート部材と、
を含み、
前記カップ部材におけるビーム幅方向としての第１水平方向の厚み及びビーム面に直交する方向としての第２水平方向の厚みが互いに異なり、これにより前記カップ部材はビーム方向に直交する面において偏平した形態を有し、それに従って前記カップ部材内に配置される前記コリメート部材が偏平した形態に構成された、ことを特徴とするＸ線発生装置。
【請求項８】
Ｘ線発生管と、
前記Ｘ線発生管を包み込む部材であって、放射開口を有する遮蔽容器と、
前記Ｘ線発生管、前記遮蔽容器、及び、絶縁液体を収容し、前記放射開口に対応する位置に形成されたケース開口部を有する密封ケースと、
前記ケース開口部から前記放射開口へ伸びた形態をもって構成された隔壁であって、Ｘ線が通過し且つ絶縁性を有する材料からなるカップ部材と、
前記カップ部材の中に落とし込まれ、前記放射開口から出るＸ線をコリメートするコリメート部材と、
を含み、
前記Ｘ線発生器におけるＸ線発生点から前記放射開口内且つ前記コリメータ部材外を通過するＸ線を遮蔽する手段が設けられた、ことを特徴とするＸ線発生装置。
【請求項９】
請求項１記載のＸ線発生装置と、
前記Ｘ線発生装置によって生成され且つ被検体を通過したファンビーム形状を有するＸ線ビームに対応して設けられたＸ線検出装置と、
前記Ｘ線検出装置からの出力信号に基づいて前記被検体の骨密度を演算する演算部と、
を有することを特徴とする骨密度測定装置。
【発明の詳細な説明】
【技術分野】
【０００１】
本発明はＸ線発生装置に関し、特に、Ｘ線ビームを形成するコリメータを備えたＸ線発生装置に関する。
【背景技術】
【０００２】
骨密度測定装置（特許文献１）やＸ線ＣＴ装置などのＸ線ビームを利用する装置においてはＸ線発生装置が利用される。Ｘ線発生装置は、Ｘ線発生管及びそれを収容したケースを有する。ケース内には絶縁油が封入、充填され、それは放熱作用及び絶縁作用を発揮する。Ｘ線発生管には高電圧が印加されるので、その周囲が単なる空気層であると、絶縁破壊が生じやすい。このため絶縁油が利用されている。望ましくは、Ｘ線発生管には、それを取り囲むように筒状の遮蔽部材が設けられる（特許文献２）。遮蔽部材には一般に円形の開口が形成されており、その開口からＸ線が放射される。その意味において当該開口は一次コリメータとして認識される。
【０００３】
上記のケースは例えば真鍮などの材料によって構成され、その上面壁には台座開口が形成されている。そこには樹脂などからなるカップ状の隔壁が設けられ、その隔壁内にはコリメータ部材が配置される。従来、コリメート部材はＸ線発生管からある程度の距離を隔てて配置されている。そこには例えばスリットが形成されている。そのスリットによってファンビーム（扇状に広がる面状ビーム）が形成される。なお、隔壁の底壁とＸ線発生管は離間しており、そこにはある程度の厚みを有する絶縁油層が存在している。
【先行技術文献】
【特許文献】
【０００４】
【特許文献１】特開２００３−３２５４９７号公報
【特許文献２】特開平１０−２１４５８２号公報
【発明の概要】
【発明が解決しようとする課題】
【０００５】
従来のＸ線発生装置においては、Ｘ線発生管とコリメータ部材との間にある程度の距離が存在し、このためコリメート部材が大型化していた。また、Ｘ線発生管から出るＸ線が比較的に大きな絶縁油層を通過しなければならずそこでのＸ線の減衰が無視できないという問題があった。
【０００６】
なお、従来のコリメート部材は、円盤状の鉛ブロックからなり、そこには左右に貫通するようにスリットが形成されており、このためビームの両端での遮蔽を行うために鉛ブロックに鍔状の部分が形成され、あるいは、コリメータとは別にその周囲を取り囲む鉛リングを設ける必要があった。
【０００７】
本発明の目的は、コリメート部材あるいはそれを備えるＸ線発生装置の小型化又は軽量化を図ることにある。本発明の他の目的は、散乱Ｘ線の閉じ込めを効果的に行うことにある。
【課題を解決するための手段】
【０００８】
本発明に係るＸ線発生装置は、Ｘ線発生管と、前記Ｘ線発生管を包み込む部材であって、放射開口を有する遮蔽容器と、前記Ｘ線発生管、前記遮蔽容器、及び、絶縁液体を収容し、前記放射開口に対応する位置に形成されたケース開口部を有する密封ケースと、前記ケース開口部から前記放射開口へ伸びた形態をもって構成された隔壁であって、Ｘ線が通過し且つ絶縁性を有する材料からなるカップ部材と、前記カップ部材の中に落とし込まれ、前記放射開口から出るＸ線をコリメートするコリメート部材と、を含む。
【０００９】
上記構成によれば、密封ケース内にＸ線発生管、遮蔽容器等が配置され、さらに絶縁液体（例えば絶縁油）が封入されている構成において、密封ケースに形成されたケース開口部に隔壁として機能するカップ部材が配置される。カップ部材はＸ線透過性及び絶縁性の両方を有する部材として構成される。カップ部材は、ケース開口部から密封ケース内へ進入する形態を有し、つまり放射開口へ伸長した形態を有する。カップ部材の中にはコリメート部材が落とし込み配置される。つまり、カップ部材の底壁の上面（内部空間側の面）に接触又は近接した状態でカップ部材の下層にコリメート部材が設けられる。その結果、コリメート部材がＸ線発生管に近づくことになるので、つまりＸ線発生源から近い位置でコリメート作用を発揮させることができるから、コリメート部材の物量を削減できる。また、コリメート作用の全部又は一部が密封ケース内で行われることになるからそこで生じる散乱線を密封ケース内に封じ込めることができ、あるいは、外部への散乱線の漏洩を低減できる。更に、カップ部材がＸ線発生管に近付くことにより結果としてＸ線が通過する絶縁液体層の厚みを小さくできるから、絶縁液体によるＸ線減弱を低減できる。但し、いずれの構成を採用する場合においても絶縁性を十分に保つことが必要となる。カップ部材それ自体がケース開口部に落とし込まれるように構成してもよく、その場合にはカップ部材の上部に水平方向に張り出た鍔部を設け、それをケース開口部の下部に引っ掛けるようにするのが望ましい。
【００１０】
望ましくは、前記カップ部材は、前記放射開口の中に進入して前記Ｘ線発生管に近接する又は接触する底壁を有する。底壁を放射開口内に進入させないでも上記であげた各利点を得ることが可能ではあるが、底壁を放射開口内に進入させれば上記であげた各利点をより引き出すことが可能となる。底壁がＸ線発生管に接触するように構成してもよいが、その場合に絶縁性が問題になるようであれば、底壁がＸ線発生管に対して非接触で近接するように構成するのが望ましい。両者間には絶縁液体が介在することになる。
【００１１】
望ましくは、前記Ｘ線発生管と前記遮蔽容器との間に絶縁容器が設けられ、前記絶縁容器は前記放射開口に対応する位置に形成された連絡開口を有し、前記カップ部材の底部が前記連絡開口に嵌め込まれる。この構成によればカップ部材の位置決めが絶縁容器により行われ、つまり、内部配置体によってカップ部材の位置決めを行えるから、カップ部材の内部に収容されたコリメート部材の位置決めも同時に行えることになる。コリメート部材はビーム形状上の要であるから、それについては位置決め精度を高めるべき要請がある。上記構成によればそのような要請に対して十分に応えることができる。
【００１２】
望ましくは、前記カップ部材は、前記Ｘ線発生管に向かって先細となった円錐状の形態を有する。ファンビームのような末広がりのビームを生成する場合には各部材の形状をビーム形状に合わせるのが望ましく、そのような構成によれば物量の削減等の利点を得られる。望ましくは、前記コリメート部材はファンビーム成形用のスリットを有し、前記スリットは左右が閉じられ上下が開いた形態を有する。この構成によれば、コリメート部材によってファンビームの左右において急峻な遮蔽を行える。望ましくは、前記スリットの左辺及び右辺が前記ファンビームの左辺及び右辺と同じ傾きを有し、前記スリットは台形状の形態を有する。
【００１３】
望ましくは、前記カップ部材におけるビーム幅方向としての第１水平方向の厚み及びビーム面に直交する方向としての第２水平方向の厚みが互いに異なり、これにより前記カップ部材はビーム方向に直交する面において偏平した形態を有し、それに従って前記カップ部材内に配置される前記コリメート部材が偏平した形態に構成される。この構成によればファンビームに適合したコリメート部材を利用でき、その物量を削減できる。
【００１４】
望ましくは、前記Ｘ線発生器におけるＸ線発生点から前記放射開口内且つ前記コリメータ部材外を通過するＸ線を遮蔽する手段が設けられる。当該手段は、例えば、コリメート部材とは別に設けられた漏洩Ｘ線遮蔽部材であり、あるいは、密封ケースにおける対応部分（肉厚化部分であるのが望ましい）である。
【００１５】
本発明に係る骨密度測定装置は、前記Ｘ線発生装置によって生成され且つ被検体を通過したファンビーム形状を有するＸ線ビームに対応して設けられたＸ線検出装置と、前記Ｘ線検出装置からの出力信号に基づいて前記被検体の骨密度を演算する演算部と、を有する。
【発明の効果】
【００１６】
本発明によれば、コリメート部材あるいはそれを備えるＸ線発生装置の小型化又は軽量化を図れる。あるいは、散乱Ｘ線の閉じ込めを効果的に行える。
【図面の簡単な説明】
【００１７】
【図１】本発明に係る骨密度測定装置を示すブロック図である。
【図２】本発明に係るＸ線発生装置の断面図である。
【図３】コリメータの斜視図である。
【図４】本発明に係るＸ線発生装置の他の断面図である。
【図５】比較例を示す断面図である。
【図６】他の実施形態に係るＸ線発生装置の断面図である。
【図７】他の実施形態に係るＸ線発生装置の要部構成を示す図である。
【発明を実施するための形態】
【００１８】
以下、本発明の好適な実施形態を図面に基づいて説明する。
【００１９】
図１には、本発明に係るＸ線発生装置を備えた骨密度測定装置の好適な実施形態が示されており、図１はその全体構成を示すブロック図である。骨密度測定装置は被検体としての人体における骨の成分を測定する装置であり、特に骨塩量を測定する装置である。
【００２０】
骨塩量測定装置は、大別して、測定部１０および演算制御部１２を備えている。測定部１０は、ベッド１４を有し、そのベッド１４上には被検体としての生体１５が配置される。ベッド１４はいわゆるブッキングテーブル等であってもよい。被検体１５は例えば人体における胴部である。ベッド１４の下方には発生ユニット１８およびフィルタユニット２０が設けられる。発生ユニット１８はＸ線発生装置であり、フィルタユニット２０は高エネルギーＸ線用フィルタおよび低エネルギー用Ｘ線フィルタを交互にビーム経路に挿入するユニットである。発生ユニット１８の構成については後に図２等を用いて詳述する。
【００２１】
本実施形態において、発生ユニット１８により面状に広がるファンビームとしてのＸ線ビームが形成される。被検体１５を介して発生ユニット１８とは反対側に検出ユニット２２が設けられている。検出ユニット２２はファンビーム形状に対応した一次元配列を有する複数のＸ線センサにより構成されている。発生ユニット１８および検出ユニット２２は走査機構２４によって搬送されており、これによって二次元エリアの全体にわたって検出データを取得することが可能である。
【００２２】
次に演算制御部１２について説明する。演算部２８は、検出ユニット２２から出力された検出データに基づいて骨塩量分布を生成するユニットである。その骨塩量分布が画像として表示部３２に表示される。制御部２６は図１に示される各構成の動作制御を行っており、制御部２６には入力部３４が接続されている。ＨＶ３０は電圧源であり、そのＨＶ３０から発生ユニット１８に対して高電圧および低電圧が交互に供給される。次に、図２以降の各図を参照しながら図１に示した発生ユニット１８の具体的な構成について説明する。
【００２３】
図２には、発生ユニットの断面図（Ｘ−Ｚ断面図）が示されている。筐体３６は箱状の形態を有し、筐体３６はＸ線遮蔽材料としての真鍮などによって構成されている。筐体３６の上側が上壁３６Ａであり、下側が底面壁３６Ｂである。筐体３６の内部３８は気密空間とされており、その内部３８には封入体４０が設けられ、さらに内部３８内には絶縁油が充填されている。この絶縁油は高電圧が印加されるＸ線発生管４２の周囲において絶縁性を保つための部材である。
【００２４】
封入体４０は、Ｘ線を発生するＸ線発生管４２を有し、その外側には筒状の遮蔽容器４４が設けられている。遮蔽容器４４はその上部に円形の開口４４Ａを有している。その開口４４Ａは一次コリメータとして機能し、つまり、それは放射開口である。Ｘ線発生管４２と遮蔽容器４４との間には筒状の絶縁スペーサ４６が設けられている。絶縁スペーサ４６の上部にも円形の開口４６Ｂが形成されており、それは上述した開口４４Ａと同軸状に形成されている。本実施形態において、開口４６Ｂよりも開口４４Ａの方が若干大きなサイズを有しており、後に説明する絶縁カップ５２の下部が開口４６Ｂによって位置決め保持されている。遮蔽容器４４は例えば鉛などのＸ線遮蔽部材で構成されている。それは放射開口以外におけるＸ線の漏洩を防止するための部材である。
【００２５】
筐体３６における上壁３６Ａには開口部３６Ｃが形成されている。開口部３６Ｃは図２に示す例において円形の形状を有しており、開口部３６Ｃの周囲が肉厚部分３６Ｆとされている。開口部３６Ｃにおける下部には内側に張り出たリング状の台座３６Ｄが形成されている。開口部３６Ｃはその上面において上開口３６Ｇを有し、その下部において下開口３６Ｅを有する。
【００２６】
開口部３６Ｃには絶縁カップ５２が落とし込み配置されている。絶縁カップ５２はＸ線を透過する部材かつ絶縁性を有する部材で構成され、それはつば部５２Ａ、円錐形状を持った中間部５２Ｂおよび底壁５２Ｃを有している。つば部５２Ａはリング状の形態を有し、それが上述したリング状の台座３６Ｄにひっかかっている。絶縁カップ５２と筐体３６との間には図示されていないシール部材が設けられ、両者間の隙間は完全に閉じられている。すなわち内部３８から絶縁油が上方へ流出することはない。絶縁カップ５２は開口部３６Ｃの下部からＸ線発生管４２に向かって先細に伸張した形態を有し、その下部が封入体４０の中に入り込んでいる。図示の例においては、底壁５２Ｃの底面が非接触でＸ線発生管４２の側面に近接対向している。ちなみに、Ｘ線発生管４２の周囲は上述した絶縁油が満たされている。
【００２７】
図２に示されるように、絶縁カップ５２の下部が絶縁部材で構成された絶縁スペーサ４６の開口４６Ｂによって位置決め保持されており、すなわち絶縁カップ５２の上部および下部の両者が筐体３６および封入体４０によって保持されている。これにより絶縁カップ５２を高精度に位置決めすることが可能であり、換言すれば、絶縁カップ５２をＸ線発生管４２に対して正しく位置決め配置することが可能である。もっとも、絶縁カップ５２の下部が遮蔽容器４４によって保持されるようにしてもよく、またその底壁５２ＣがＸ線発生管４２に接触するように構成することも可能である。いずれの場合においても、充分な絶縁性が確保される必要がある。
【００２８】
絶縁カップ５２内にはコリメータ（コリメータ部材）５４が落とし込み配置されている。すなわちコリメータ５４の底面が絶縁カップ５２における底壁５２Ｃの上面すなわち底面に密着しつつコリメータ５４が固定されている。コリメータ５４は各図に示されるようにそれ全体が鉛などのＸ線遮蔽部材で構成され、そこにはスリット５４Ａが形成されている。このスリット５４ＡはＸ線ビームをファンビーム形状に成形するためのものである。図２においてはＸ線ビームが符号４８によって示されている。
【００２９】
コリメータ５４は下方に先細の円錐形状を有し、その上面および下面がいずれも平面である。その断面はＸ−Ｚ面およびＹ−Ｚ面のいずれにおいても台形の形状を有している。コリメータ５４は図示されるように、筐体３６の上壁３６Ａの下面レベルよりも下側に位置しており、すなわち符号５６で示される２つのレベル間に位置している。符号６０はコリメータ５４の上面レベルを表しており、それは上壁３６Ａの下面レベル５８（開口部３６ＣにおけるＸ線発生管側開口である下開口３６Ｅのレベルと同じレベル）よりも低く設定されている。従って、Ｘ線発生管４２から放射されたＸ線がコリメータ５４に到達したときに生じる散乱Ｘ線の発生位置が筐体３６の内部になるから（上記レベル関係から明らかなようにまた図２に明示されているようにコリメータ５４の全体が筐体３６の内部に位置しているので）、筐体３６によって散乱Ｘ線を効果的に遮蔽することができ、すなわち散乱Ｘ線の閉じ込め作用を充分に得ることが可能となる。
【００３０】
また、コリメータ５４がＸ線発生管４２に近づけられているから、コリメータ５４の物量を少なくして、Ｘ線発生装置の小型化または軽量化を図ることが可能となる。さらに、絶縁カップ５２がＸ線発生管４２まで伸張し、Ｘ線通過経路における絶縁油層の厚みを少なくできるから、絶縁油によるＸ線の減弱を少なくすることができるという利点がある。
【００３１】
符号５０はＸ線発生点（焦点）０から開口４４Ａの隅を通過して筐体３６側へ向かうＸ線を示しており、そのようなＸ線５０を遮蔽するために、本実施形態においては遮蔽リング６２が設けられている。遮蔽リング６２は、図２に示す例において絶縁カップ５２の上側に積層されており、コリメータ５４の外側であって開口４４Ａの中を通過するＸ線を阻止可能なリング幅をもって構成されている。ただし、そのような漏洩Ｘ線を肉厚部分３６Ｆで充分に低減できるならば、すなわち外部への漏洩を充分に防止することができるならば、そのような遮蔽リング６２を設けなくてもよい。図２に示す構成においては、コリメータ５４の本来のコリメート作用と、漏洩Ｘ線の阻止作用とを別々の部材で行っており、それらを一体化した場合における物量の増大といった問題が回避されている。ちなみに、図２に示す例においては、ファンビームの面方向がＹ−Ｚ面に一致しているが、それを９０度回転させて、Ｘ−Ｚ面においてファンビーム面が構成されるようにしてもよい。
【００３２】
図３には、図２に示したコリメータ５４の斜視図が示されている。この図３に示す例において、コリメータ５４は、下方に先細となった円錐状の形態を有し、すなわちその上面５４Ｃよりも下面５４Ｂの方が小さい形態を有している。その側面は傾斜面を構成している。その側面上には上下方向に伸びる凸部５４Ｄが設けられており、一方、コリメータ５４を受け入れる絶縁カップ５２側には凸部５４Ｄを受け入れる上下方向に伸張した溝が形成されている。このような凹凸の噛み合い関係により、スリット５４Ａの位置を適切に定めることが可能となる。もっとも、上方から見て円形のコリメータではなく、楕円形状その他の形状のコリメータを採用する場合には、凹凸などを設けなくてもよい。
【００３３】
図４には、図２に示したＸ線発生装置のＹ−Ｚ断面が示されている。本実施形態においては、絶縁カップ５２およびコリメータ５４は上方から見て完全な円形を有し、すなわち扁平していないために、図２に示される断面および図４に示される断面はその水平方向のサイズが互いに同一である。絶縁カップ５２内には上述したようにコリメータ５４が落とし込まれており、そのコリメータ５４にはスリット５４Ａが形成されている。
【００３４】
スリット５４Ａは、本実施形態において台形の形状を有し、すなわち台形のコリメータ断面における左右端部を除いた部分としてスリット５４Ａが構成されている。図においてハッチングが付された左右端部５４Ｂは遮蔽を行う部分を表しており、スリット５４Ａの左右端部は開放されておらず閉じている。すなわちスリット５４Ａはその上側および下側だけが開いている（つまりスリット５４ＡはＸ線が出る上側開口及びＸ線が入る下側開口を有している）。台形状のスリット５４Ａにおける左右の辺（上側開口の両端と下側開口の両端とを結ぶ一対の傾斜辺である左辺及び右辺）はファンビーム形状を持ったＸ線ビーム４８に合わせた形状を有し、逆に言えば、生成したいファンビーム形状の側辺の傾斜角度とスリット５４Ｃにおける側辺の傾斜角度が完全に一致している。これにより左右端に急峻な遮蔽作用を生じさせて、理想的なファンビームを形成することが可能となる。上述したように、ファンビームにおけるビーム面の方向を変更することができ、コリメータ５４を９０度回転させれば、ファンビーム面の向きを９０度異ならせることが可能である。
【００３５】
図５には比較例の構成が示されている。なお、図２に示した構成と同様構成には同一符号を付しその説明を省略する。筐体３６には開口部６４が形成され、その開口部の下部には絶縁カップ６６が配置されている。絶縁カップ６６は図示されるように皿状の形態を有し、その底壁は筐体３６における上壁の下面レベルとほぼ同一である。より詳しくは、絶縁カップ６６の底壁の底面レベルは上壁の下面レベルよりもやや下方となっているが、その突出量はわずかであり、Ｘ線ビーム経路上における絶縁油層の厚みは大きなものとなっている。その一方、コリメータ６８は開口部６４の上部にはめ込まれており、Ｘ線発生源からより遠い位置にコリメータ６８が配置されている。コリメータ６８はスリット６８Ａを有する。またコリメータ６８の周囲からのＸ線の漏洩をより防止するために鉛などでＸ線遮蔽部材で構成されたキャップ７０が設けられている。そのキャップ７０はスリット７０Ａを有する。
【００３６】
図５に示される構成においては、Ｘ線発生源から遠い位置にコリメータ６８が設けられているので、コリーメータ６８を水平方向に大きくする必要があり、またそこで生じる散乱Ｘ線を充分に閉じ込めることが困難な場合が生じ得る。少なくとも、コリメータ６８において散乱Ｘ線が発生した場合、筐体３６を効果的に使ってその散乱Ｘ線を閉じ込めることが困難である。
【００３７】
これに対し、図２および図４に示した本実施形態によれば、コリメータをＸ線発生管へ充分に近づけることができるから、コリメータそれ自体を小型化および軽量化でき、またＸ線における絶縁油の通過距離を小さくできるから、そこでのＸ線の減弱を低減することが可能となる。さらに、コリメータを原因とする散乱Ｘ線の発生位置を筐体内部に設定することができるから、筐体それ自体をＸ線の閉じ込め部材として機能させることが可能となる。さらに、本実施形態によれば、絶縁カップ５２の下部についても位置決め保持作用を得られるから、絶縁カップ５２の配置作業が容易化され、また位置決め精度を高められるからファンビームの方向性を正しいものにすることが可能となる。
【００３８】
次に図６および図７を用いて他の実施形態について説明する。
【００３９】
図６において、筐体７２には扁平した開口部７４が形成されている。開口部７４において、Ｘ方向の幅よりもＹ方向の幅の方が大きく、開口部７４が上方から見て扁平した形態あるいは楕円状の形態を有している。もっとも、開口部７４が四角形あるいは長方形あるいは円形であってもよい。
【００４０】
開口部７４の下部には絶縁カップ７６が落とし込み配置されており、絶縁カップ７６におけるＸ方向の幅よりもＹ方向の幅の方が大きく、絶縁カップ７６それ自体がその中間部分において扁平した形態を有している。絶縁カップ７６の内部も扁平した形態を有し、その形態に合致した形状を有するコリメータ７８が落とし込み配置されている。コリメータ７８はＹ方向に伸張した形態を有し、当該方向に広がったスリットが形成されている。すなわちスリットの全体を囲みつつもスリットと直交する方向の厚みを小さくすることにより、コリメータ７８の物量がより削減されている。その一方において、絶縁カップ７６の上側には楕円状あるいは漏洩Ｘ線を阻止する形態をもって絶縁体８０が設けられ、絶縁カップ７６の壁内部あるいはコリメータ７８の周囲から漏洩するＸ線が遮蔽体８０によって阻止されている。
【００４１】
図７には、絶縁カップ７６を備えた封入体４０が斜視図として示されている。封入体４０はＸ線発生管４２、筒状の絶縁スペーサ４６および筒状の鉛から成る遮蔽容器４４を有する。その封入体４０の上方に設けられた開口部には上述した絶縁カップ７６の下部が差し込まれ、その開口部によって絶縁カップ７６の下部が位置決め保持されている。絶縁カップ７６の内部には図示されていないコリメータが配置され、それによってファンビーム形状を持ったＸ線ビーム４８が形成されている。ちなみに、封入体４０の上部に形成される開口は円形であってもよいし扁平した形状を有していてもよい。それに合わせて絶縁カップ７６の下部の形状を定めればよい。
【符号の説明】
【００４２】
１０  測定部、１２  演算制御部、１８  発生ユニット（Ｘ線発生装置）、３６  筐体、４０  封入体、４２  Ｘ線発生管、４４  遮蔽容器、４６  絶縁スペーサ、５２  絶縁カップ、６２  遮蔽リング。
【図１】
0005750277.tif 000002
【図２】
0005750277.tif 000003
【図３】
0005750277.tif 000004
【図４】
0005750277.tif 000005
【図５】
0005750277.tif 000006
【図６】
0005750277.tif 000007
【図７】
0005750277.tif 000008